(57)【要約】【課題】患者が一人で容易に装着でき、かつ装着後の手の動作に影響を与えることなく、痛みのある関節部位を安定して固定する手関節用装具を提供すること。【解決手段】手関節用装具１は、本体部２と、本体部２に設けられる指挿入部３とを備え、指挿入部３を指に装着してから本体部２を手首に巻き付け、本体部２の巻き付け完了後に指挿入部３を指から外し、本体部２に固定する。【選択図】図４
2019088526.tif 000002
【特許請求の範囲】
【請求項１】
手首を圧迫する本体部と、
前記本体部に設けられ、開口部を有する指挿入部と、を少なくとも備え、
前記本体部は、前記指挿入部を指に装着した後、手首に巻き付けられ、
前記指挿入部は、前記本体部の巻き付け完了後に指から外され前記本体部に固定される、手関節用装具。
【請求項２】
前記本体部は、中央部と、２つの端部とからなり、
前記２つの端部の少なくとも一方が、前記中央部よりも幅広である、請求項１に記載の手関節用装具。
【請求項３】
前記本体部は、前記指挿入部を指に装着した後、前記幅広である端部が尺骨に当たるように掌側から甲側に回して、手首に巻き付けられる、請求項２に記載の手関節用装具。
【請求項４】
前記幅広である端部が尺骨に当たる位置にパッドを備える、請求項３に記載の手関節用装具。
【請求項５】
前記指挿入部は、前記本体部との着脱部を備える、請求項１〜４のいずれか一項に記載の手関節用装具。
【請求項６】
前記本体部の外周に巻き付けられる固定ベルトをさらに備える、請求項１〜５のいずれか一項に記載の手関節用装具。
【請求項７】
前記指挿入部は、前記本体部の巻き付け完了後に指から外され、前記本体部と前記固定ベルトの間に挟まれて固定される、請求項６に記載の手関節用装具。
【請求項８】
前記開口部が、前記指挿入部の自由端側から、前記指挿入部と前記本体部との連結部に向かって拡幅されている、請求項１〜７のいずれか一項に記載の手関節用装具。
【発明の詳細な説明】
【技術分野】
【０００１】
本発明は、手関節の損傷、特にＴＦＣＣ損傷の患者の手関節部位に装着され、手関節を固定する手関節用装具に関する。
【背景技術】
【０００２】
手関節を捻ったり、スポーツや仕事で手関節を過度に使用したりしたときに、手関節を損傷することがある。代表的な疾患として、三角線維軟骨複合体損傷がある。この疾患は、ＴＦＣＣ損傷（Ｔｒｉａｎｇｕｌａｒ  Ｆｉｂｒｏｃａｒｔｉｌａｇｅ  Ｃｏｍｐｌｅｘ  Ｉｎｊｕｒｉｅｓ）とも呼ばれ、手関節の荷重の分散やクッションの役割をする三角線維軟骨複合体（ＴＦＣＣ）に過度なストレスがかかることにより生じる疾患である（以下、ＴＦＣＣ損傷という）。このＴＦＣＣ損傷は、手関節の尺屈や腕の回旋動作などにより痛みが生じる。
【０００３】
こうした手関節損傷の痛みの軽減や治療のために手関節を固定する手関節用装具が開示されている（特許文献１）。また、患者が一人で脱着し、かつ手関節を安定して固定する手関節固定具として、母指を引っ掛ける牽引ベルトと、手掌から手甲にかけて巻回する手掌ベルトと、手首に沿って巻回する手首ベルトとを備える手関節固定具が開示されている（特許文献２）。
【先行技術文献】
【特許文献】
【０００４】
【特許文献１】特開２００３−０６１９９５号公報
【特許文献２】特開２０１０−０２９５０１号公報
【発明の概要】
【発明が解決しようとする課題】
【０００５】
患者が一人で確実に装着でき、痛みのある関節部位を安定して固定することができる手関節用装具が求められている。しかし、従来の手関節用装具においては、装着後に物を掴む等の手の動作を妨げてしまうという問題があった。
【０００６】
本発明は、このような状況に鑑みてなされたものであり、患者が一人で手関節用装具を装着することができ、かつ、装着後に物を掴む等の手の動作を妨げることなく痛みのある関節部位を安定して固定することができる手関節用装具を提供することを目的とする。
【課題を解決するための手段】
【０００７】
上記課題を解決するために、本発明の一実施形態である手関節用装具は、手首を圧迫する本体部と、前記本体部に設けられ、開口部を有する指挿入部と、を少なくとも備え、前記本体部は、前記指挿入部を指に装着した後、手首に巻き付けられ、前記指挿入部は、前記本体部の巻き付け完了後に指から外され前記本体部に固定される。
【発明の効果】
【０００８】
本発明に係る手関節用装具によれば、患者が一人で簡単に装着することができ、かつ、装着後の手の動作に影響を与えることなく、痛みのある関節部位を安定して固定することができる。
【図面の簡単な説明】
【０００９】
【図１】本発明の実施形態に係る手関節用装具の開いた状態の外側面を示す模式図である。
【図２】本発明の実施形態に係る手関節用装具の開いた状態の内側面を示す模式図である。
【図３】本発明に係る指挿入部の変形例を示す模式図である。
【図４】本発明の実施形態に係る手関節用装具の装着手順を示す模式図である。
【図５】本発明の実施形態に係る手関節用装具の装着手順を示す模式図である。
【図６】本発明の実施形態に係る手関節用装具の装着手順を示す模式図である。
【図７】本発明の実施形態に係る手関節用装具の装着手順を示す模式図である。
【図８】本発明の実施形態に係る手関節用装具の装着後の状態を示す模式図である。
【発明を実施するための形態】
【００１０】
以下、本発明を実施するための好適な実施形態について図面を参照して説明する。なお、以下に説明する実施形態は、本発明の代表的な実施形態の一例を示したものであり、これにより本発明の範囲が狭く解釈されることはない。また、本発明は、下記の実施例及びその変形例のいずれかを組み合わせることもできる。
【００１１】
（１）手関節用装具の構成
図１〜図３を用いて、本発明の一実施形態に係る手関節用装具１の構成について説明する。なお、各図面において共通する符号については、特に必要のない限り説明を省略する。
【００１２】
図１は、本実施形態に係る手関節用装具１の開いた状態の外側面を示す模式図である。ここで、外側面とは、手関節用装具１を手に装着したときに手に接しない外側の面である。図２は、本実施形態に係る手関節用装具１の開いた状態の内側面を示す模式図である。ここで、内側面とは、手関節用装具１を装着したときに手に接する内側の面である。
本実施形態に係る手関節用装具１は、本体部２と、指挿入部３と、固定ベルト４で構成される。本体部２は手関節を固定するために手首に巻き付けられる横長の帯状体である。指挿入部３は本体部２を手首に巻き付ける際に指に装着する帯状体であり、本体部２とは連結部３０で固定されている。また、固定ベルト４は本体部２の外周に巻き付けられる帯状体であり、本体部２の中央部２１に固定されている。以下、各部についてより詳細に説明する。
【００１３】
（１−１）本体部２について
本体部２は、手首に巻き付けられる帯状体である。図１に示すように、本体部２は中央部２１と２つの端部２２、２３から構成される。中央部２１は本体部２を手首に巻き付けた際に手首の橈骨側に当たる部分であり、端部２２、２３は手首の尺骨側に当たる部分である。端部２２又は端部２３は、少なくとも一方もしくは両方を中央部２１より幅広とすることが好ましい。端部２２、２３を中央部２１より幅広にすることで、尺骨側をより安定して固定することができる。また、掌を極力覆わなくすることができるため、物を掴む等の手の動作への影響を少なくすることができる。さらに、端部２２、２３が手首の尺骨側に当たるように本体部２が手に巻き付けられることで、固定が必要な尺骨側の関節部位のみをしっかりと固定することができる。
【００１４】
２つの端部２２、２３の形状は略六角形状、円形等に限らず、端部２２を略五角形状、端部２３を略六角形状とする等、固定が必要な尺骨側の関節部位をしっかりと固定できるのであればどのような形状であってもよい。中央部２１の長さは５０ｍｍから８５ｍｍであることが好ましい。また、中央部２１の幅は５０ｍｍから７５ｍｍであることが好ましい。
【００１５】
図２に示すように、本体部２の端部２２の内側面に、尺骨を圧迫するパッド２４を設けてもよい。パッド２４を設けることにより、ＴＦＣＣが機能的に影響する遠位橈尺関節に対してさらに圧迫を加えることができ、固定が必要な尺骨側の関節部位をしっかりと固定することができる。また、端部２３の内側面には面ファスナ部２５を設けてもよい。これにより、本体部２を手首に巻き付けたあと、本体部２の外側面と係着させて、任意の強さで本体部２を固定することができる。なお、パッド２４の長さは２５ｍｍ以上、幅は２５ｍｍ以上であることが好ましい。
【００１６】
本体部２を構成する糸素材としては、天然繊維、化学繊維のいずれでもよく、例えば、ポリアミド系繊維、ポリエステル系繊維、アクリル系繊維、セルロース系繊維（綿、レーヨン、ポリノジック、リヨセル等）、ポリウレタン系繊維、ポリオレフィン系繊維（ポリエチレン，ポリプロピレン等）、アセテート系繊維、ポリ塩化ビニリデン系繊維、ポリ塩化ビニル系繊維、毛（羊毛、獣毛等）などを単独で用いた糸、又はこれら繊維を混用した糸を用いることができる。糸の種類としては、モノフィラメント、マルチフィラメント、撚糸、カバードヤーン、コアヤーン等が利用でき、伸縮加工や嵩高加工等を施したものを利用してもよい。
【００１７】
また、本体部２の編成としては、経編又は緯編の各種編組織が利用でき、例えば、ダブルラッセル生地、平編生地、ゴム編（リブ編）生地、パール編生地、タック編生地、丸編生地、横編生地、トリコット生地、ラッセル生地、パイル編生地、添え糸編生地等が利用できる。
【００１８】
ここで、ダブルラッセル生地は一本の糸から編目を作りながらループと呼ばれる輪をつなぎ合わせて作り、ループがもつ弾力性で伸長力に寄与することができ、このループから空気を透過させる事ができる。このため、ダブルラッセル生地を用いることにより、通気性を確保することができる。
【００１９】
パッド２４の素材としては、ポリウレタン、クロロプレンゴム、天然ゴム、ポリエステル、ポリプロピレン、アクリルなどのエラストマー素材を用いることができる。
【００２０】
本体部２の外側面は、本体部２を固定したり、指挿入部３を係着させたりするために、糸素材がループ状に起毛されている面ファスナとすることが好ましい。
【００２１】
（１−２）指挿入部３について
指挿入部３は、本体部２を手首に巻き付ける際に指に装着し、巻き付け完了後に指から外される帯状体である。なお、指挿入部３を装着する指は、五指のうちどの指を使用してもよいが、指挿入部３を取り外しやすくするという観点から、母指であることが好ましい。
【００２２】
図１に示すように、指挿入部３は２本の帯状体３ａ、３ｂから構成される。２本の帯状体３ａ、３ｂは連結部３０で本体部２に固定されており、２本の帯状体３ａ、３ｂの間に指を挿入するための開口部３１を有する。２本の帯状体で構成することで、１本の帯状体で構成したときに比べて、指挿入部３の向きの変化に追従しやすくなり、指を挿入した際に本体部２と指挿入部３との間に浮きがなくぴったりと密着した状態で装着位置の確認をすることができるようになる。また、指挿入部３の自由端３２から連結部３０に向かって拡幅された形にすることにより、２本の帯状体３ａ、３ｂの間に形成される開口部３１の幅が広くなり、指挿入部３を指から取り外すことが容易になる。
連結部３０は、本体部２の中央軸Ｍに沿って固定されていることが好ましい。連結部３０を基点として指挿入部３を折り返し可能な構成にすることにより、手関節用装具１を右手にも左手にも使用することができる。
【００２３】
指挿入部３の自由端３２には、本体部２に着脱することができる着脱部３３が設けられている。着脱部３３は、面ファスナなどを自由端３２の両面に設けられてもよく、どちらか一方の面のみに設けられてもよい。着脱部３３を設けることで、指挿入部３を指から外した後、本体部２に固定することができ、指挿入部３がぶらぶらして手の動作等に影響を与えることなく使用でき、外観も損なわない。
【００２４】
指挿入部３の長手方向の長さは、指挿入部３を指から取り外しやすくするために７．５ｃｍ〜１１ｃｍであることが好ましい。指挿入部３を上記の長さにすることにより、本体部２を手に装着する際に端部２２、２３が尺骨側に当たるように装着位置を調節することができる。指挿入部３の厚さは、指挿入部３を取り外しやすく、かつ本体部２に固定する際に嵩張らないために、０．１ｍｍ〜５ｍｍであることが好ましい。帯状体３ａ又は帯状体３ｂの幅はそれぞれ０．５ｃｍ〜３ｃｍであることが好ましく、帯状体３ａ、３ｂが同じ幅であることがより好ましい。
【００２５】
指挿入部３を構成する糸素材としては、天然繊維、化学繊維のいずれでもよく、例えば、ポリアミド系繊維、ポリエステル系繊維、アクリル系繊維、セルロース系繊維（綿、レーヨン、ポリノジック、リヨセル等）、ポリウレタン系繊維、ポリオレフィン系繊維（ポリエチレン，ポリプロピレン等）、アセテート系繊維、ポリ塩化ビニリデン系繊維、ポリ塩化ビニル系繊維、毛（羊毛、獣毛等）などを単独で用いた糸、又はこれら繊維を混用した糸を用いることができる。糸の種類としては、モノフィラメント、マルチフィラメント、撚糸、カバードヤーン、コアヤーン等が利用でき、伸縮加工や嵩高加工等を施したものを利用してもよい。
【００２６】
また、指挿入部３の編成としては、経編又は緯編の各種編組織が利用でき、例えば、ダブルラッセル生地、平編生地、パール編生地、タック編生地、丸編生地、横編生地、ラッセル生地、パイル編生地、添え糸編生地等が利用できる。
【００２７】
着脱部３３は公知の着脱手段を採用することができ、例えば面ファスナ、ボタン、フック、紐等でありうる。これらの中で、本体部２に固定する際に嵩張らず、外観を損なわない着脱手段が好ましく、その中でも特に面ファスナであることが好ましい。
【００２８】
図３に指挿入部３の変形例を示す。指挿入部３は図３（Ａ）に示す１本の帯状体をループ状で構成したものでもよいし、図３（Ｂ）に示す１本の帯状体にスリットを設けた構成でもよい。さらに、図３（Ｃ）、（Ｄ）に示す１本の帯状体に三角形状あるいは台形状の開口部３１を設けた構成でもよい。着脱部３３はこれらの変形例においても共通して設けることができる。
【００２９】
（１−３）固定ベルトについて
固定ベルト４は、本体部２の外側面に備えられ、手関節をさらに圧迫する帯状体である。図１に示すように、固定ベルト４の先端は、枝分かれ部４１ａ、４１ｂで構成され、二股にすることが好ましい。先端を二股にすることで、固定ベルト４の固定する強さを微調整することができる。固定ベルト４の外側面は、固定ベルト４を固定するために、糸素材がループ状に起毛されている面ファスナとすることが好ましい。ここで、固定ベルト４の外側面とは、固定ベルト４が本体部２に接しない面である。なお、固定ベルト４は本体部２の外側面に備えられていれば本体部２の外側面のどの位置に備えてあってもよい。
【００３０】
固定ベルト４の枝分かれ部４１ａ、４１ｂの先端の内側面には面ファスナ部４２ａ、４２ｂが備えられている。固定ベルト４を手首に巻き付けた後、固定ベルト４の外側面と枝分かれ部４１ａ、４１ｂとを係着させることで、任意の強さで固定ベルト４を固定することができる。ここで、固定ベルト４の内側面とは、固定ベルト４が本体部２に接する面である。
【００３１】
固定ベルト４を構成する糸素材としては、天然繊維、化学繊維のいずれでもよく、例えば、ポリアミド系繊維、ポリエステル系繊維、アクリル系繊維、セルロース系繊維（綿、レーヨン、ポリノジック、リヨセル等）、ポリウレタン系繊維、ポリオレフィン系繊維（ポリエチレン，ポリプロピレン等）、アセテート系繊維、ポリ塩化ビニリデン系繊維、ポリ塩化ビニル系繊維、毛（羊毛、獣毛等）などを単独で用いた糸、又はこれら繊維を混用した糸を用いることができる。糸の種類としては、モノフィラメント、マルチフィラメント、撚糸、カバードヤーン、コアヤーン等が利用でき、伸縮加工や嵩高加工等を施したものを利用してもよい。
【００３２】
固定ベルト４の編成としては、経編又は緯編の各種編組織が利用でき、例えば、ダブルラッセル生地、平編生地、パール編生地、タック編生地、丸編生地、横編生地、ラッセル生地、パイル編生地、添え糸編生地等が利用できる。
【００３３】
なお、本実施形態に係る手関節用装具１では、上記の構造に限らず、その他の公知の係着構造を採用することができ、例えばバックルやスナップボタン等を用いてもよい。
【００３４】
（２）手関節用装具の装着手順の一例
次に、本実施形態に係る手関節用装具１の装着手順の一例について、図４〜図８を参照しながら説明する。なお、各図面において共通する符号については、特に必要のない限り説明を省略する。本実施形態では、着用者の右手ＲＨに装着する手順の一例について説明する。なお、本発明に係る手関節用装具は、指挿入部３を右手着用時と上下反対側に折り曲げることで装着者の左右どちらの手にも装着することができる。
【００３５】
まず、図４に示すように、指挿入部３を右手母指ＲＦに装着した後、右手ＲＨの掌側に本体部２の内側面を当て、端部２２が右手ＲＨの尺骨に当たるように本体部２を引っ張り、掌側から甲側に回して手首に巻き付ける。そして、図５に示すように面ファスナ部２５を本体部２の外側面に係着させ手首に仮固定する。
【００３６】
次に、図６に示すように、右手母指ＲＦに装着していた指挿入部３を外し、着脱部３３を用いて自由端３２を本体部２の外側面に固定する。このとき、指挿入部３を本体部２に密着させて固定することが好ましい。
【００３７】
そして、図７、８に示すように、固定ベルト４を引っ張り、掌側から甲側に回して手首に巻き付け、面ファスナ部４２ａ、４２ｂを用いて枝分かれ部４１ａ、４１ｂを固定ベルト４に固定する。この際、固定ベルト４が指挿入部３を外側から固定するため、指挿入部３が本体部２と固定ベルト４との間に挟まれる。よって、指挿入部３が本体部２から外れてぶらぶらすることが抑えられる。
【００３８】
図８に示すように、本実施形態に係る手関節用装具１は、端部２２、２３を中央部２１より幅広にすることで、尺骨側を安定して固定することができる。一方、中央部２１を端部２２、２３より幅狭とし、橈骨側の固定する範囲を最小限にとどめることで、装着後に物を掴む等の手の動作への影響を少なくすることができる。
【００３９】
以上のように、本実施形態に係る手関節用装具１は、指挿入部３を右手母指ＲＦに装着した後、本体部２を手首に巻き付け、指挿入部３を本体部２に固定し、さらに固定ベルト４を巻き付けることで、片手で容易に装着でき、かつ手の動作を妨げずに尺骨側を安定して固定することができる。
【００４０】
すなわち、本発明に係る手関節用装具は、患者が一人で容易に装着でき、かつ装着後の手の動作に影響を与えることなく、痛みのある関節部位を安定して固定することができる。
【符号の説明】
【００４１】
１  手関節用装具
２  本体部
３  指挿入部
４  固定ベルト
２１  中央部
２２、２３  端部
２５、４２ａ、４２ｂ  面ファスナ部
３０  連結部
３１  開口部
３２  自由端
３３  着脱部
４１ａ、４１ｂ  枝分かれ部
ＲＨ  右手
ＲＦ  右手母指
【図１】
2019088526.tif 000003
【図２】
2019088526.tif 000004
【図３】
2019088526.tif 000005
【図４】
2019088526.tif 000006
【図５】
2019088526.tif 000007
【図６】
2019088526.tif 000008
【図７】
2019088526.tif 000009
【図８】
2019088526.tif 000010